(57)【特許請求の範囲】
【請求項１】
構造物の水平方向の振動を減衰する油圧ダンパと、
該油圧ダンパのピストンロッド端部に連結され前記油圧ダンパを取り付けるための第１のブラケットと、
前記油圧ダンパのシリンダ端部に連結され前記油圧ダンパを取り付けるための第２のブラケットと、
前記油圧ダンパのピストンロッド端部とシリンダ端部との間を所定寸法に保持する保持部材と、
からなり、
前記保持部材は、前記第１のブラケットと第２のブラケットとの間で取外し可能に取付られていることを特徴とする制振装置。
【請求項２】
前記請求項１記載の制振装置であって、
前記第１のブラケットまたは第２のブラケットの少なくとも一方には、構造物の柱または梁に一端が固定されるパネルの他端縁部を前記少なくとも一方のブラケットと協働して挟持する取付板が設けられ、
前記保持部材と前記取付板とを共用したことを特徴とする制振装置。
【発明の詳細な説明】
【０００１】
【発明の属する技術分野】
本発明は制振装置に係り、特に一般住宅の振動エネルギを吸収して建物に入力された振動を制振するよう構成された制振装置に関する。
【０００２】
【従来の技術】
木造住宅等の一般住宅の耐震性を高める手段として、骨組みの対角位置に装架されて壁の内部に配置されるブレースに油圧ダンパを取り付けてなる制振構造の開発が進められている。この制振構造では、油圧ダンパにより柱や梁等の骨組み間に骨組を塑性変形させようとする地震の振動エネルギを吸収し、構造物の骨組みを制振させる構成となっている。
【０００３】
このような制振構造に用いられる従来のブレースダンパ装置としては、例えば実開平７−２３１０８号公報に開示された構成のものがある。この公報に記載されたものは、油圧ダンパがブレースとして取り付けられており、油圧ダンパのシリンダ端部が骨組みの角部に連結され、シリンダ内を往復動するピストンに結合されたピストンロッドの端部が骨組みの対角位置に形成された他の角部に連結されている。
【０００４】
そして、地震による振動エネルギが構造物の骨組みに伝わると、長方形状に組まれた骨組みが平行四辺形となるように変形させる応力が構造物に作用する。その際の振動エネルギは、油圧ダンパにより吸収される。その結果、構造物は地震による変形が防止される。
【０００５】
【発明が解決しようとする課題】
上記のように構成されたブレースダンパ装置では、油圧ダンパ及び柱や梁等の骨組みを有するため、複数の作業員が特別な施工方法で組み立てながらコンクリートの壁面に固定する必要があり、設置作業が難しかった。
そのため、ブレースダンパ装置を上部パネルと下部パネルとの間に介在させてなる制振壁パネルを形成し、この制振壁パネルを工場で組み立てて現場でパネル毎コンクリートの壁面に固定するようにして設置作業が容易に行なえるよう構成されたものが開発されつつある。
【０００６】
しかしながら、このような制震壁パネルは、おおよそ幅９０ｃｍ×高さ２７０ｃｍと大きくなってしまいかなりの重量がある。そのため、上記のような制震壁パネルを木造の一般住宅に取り付ける場合、大工等の職人が１人で作業することが多いので、制震壁パネルの設置作業が難しいといった問題がある。
また、上記制震壁パネルを現場で組み立てる方法が検討されている。しかしながら、この方法でも、例えば上部パネルを天井側の梁に固定し、下部パネルを床面側の梁に固定した後、上部パネルと下部パネルとの間に形成された空間に油圧ダンパを取り付ける際、油圧ダンパのシリンダ端部に連結された第１ブラケットを上部パネルの前後面に嵌合させて固定し、ピストンロッド端部に連結された第２ブラケットを下部パネルの前後面に嵌合させて固定することが難しかった。
【０００７】
また、油圧ダンパの両端を上部パネル、下部パネルに固定する前にピストンロッドが伸びた位置へ移動してしまうと、伸び方向への動作ができなくなるので、ピストンロッドを全ストロークの中間位置に復帰させる作業が必要となり、設置作業に手間がかかるといった問題がある。
そこで、本発明は上記課題を解決した制振装置を提供することを目的とする。
【０００８】
【課題を解決するための手段】
上記課題を解決するため、本発明は以下のような特徴を有する。
上記請求項１記載の発明は、構造物の水平方向の振動を減衰する油圧ダンパと、
該油圧ダンパのピストンロッド端部に連結され前記油圧ダンパを取り付けるための第１のブラケットと、
前記油圧ダンパのシリンダ端部に連結され前記油圧ダンパを取り付けるための第２のブラケットと、
前記油圧ダンパのピストンロッド端部とシリンダ端部との間を所定寸法に保持する保持部材と、
からなり、
前記保持部材は、前記第１のブラケットと第２のブラケットとの間で取外し可能に取付られていることを特徴とするものである。
【００１０】
従って、請求項１記載の発明によれば、第１のブラケットと第２のブラケットとの間には、油圧ダンパのピストンロッド端部とシリンダ端部との間を所定寸法に保持する保持部材が取外し可能に取り付けられているので、運搬途中は油圧ダンパの両端部を拘束することにより、ピストンロッドが伸び動作することが防止され、設置後に保持部材を外すことにより油圧ダンパが伸び方向と縮み方向のどちらにも動作することができる。
【００１３】
また、上記請求項２記載の発明は、前記請求項１記載の制振装置であって、前記第１のブラケットまたは第２のブラケットの少なくとも一方には、構造物の柱または梁に一端が固定されるパネルの他端縁部を前記少なくとも一方のブラケットと協働して挟持する取付板が設けられ、前記保持部材と前記取付板とを共用したことを特徴とするものである。
従って、上記請求項２記載の発明によれば、保持部材と取付板とを共用する構成としたため、取付作業が簡略化されて取付作業時間を短縮できると共に、部品点数を削減することができる。
【００１４】
【発明の実施の形態】
以下、図面と共に本発明の実施の形態について説明する。
図１は本発明になる制振装置の一実施例の正面図である。また、図２は制振装置の背面図である。また、図３は制振装置の左側面図である。
図１乃至図３に示されるように、制振装置１１は、木造の一般住宅用の壁内に設置されるように構成されており、大略、水平方向の振動を減衰する油圧ダンパ１２と、油圧ダンパ１２のシリンダ１４の端部１４ａに連結される第１のブラケット１６と、油圧ダンパ１２のピストンロッド１８の端部１８ａに連結される第２のブラケット２０と、前面側で第１のブラケット１６と第２のブラケット２０との間に横架されて両ブラケット１６，２０を所定間隔に保持する保持部材２２とからなる。
【００１５】
また、制振装置１１には、施工時に各ブラケット１６，２０に取付けられる板金製の取付板２４，２６が別体に用意されている。各ブラケット１６，２０は、後述するように鉄製の板金を曲げ加工してなり、設置現場で保持部材２２を外した後、取付板２４，２６が取り付けられる。
油圧ダンパ１２は、内部に作動油が充填されたシリンダ１４と、シリンダ１４内に摺動可能に挿入されたピストン（図示せず）と、ピストンと一体的に連結されたピストンロッド１８とからなる。ピストンは、シリンダ１４とピストンロッド１８との相対変位に応じてシリンダ１４内を摺動する。そして、シリンダ１４内に充填された作動油がピストンに摺動動作に伴ってピストンを貫通する狭い通路を流通する際に抵抗力を発生し、この抵抗力が減衰力となって入力された振動エネルギを減衰する。
【００１６】
また、油圧ダンパ１２は、設置される構造物に応じてピストンロッド１８の移動量（ストローク）が決められており、工場で組み立てられた状態ではピストンロッド１８が最大伸び位置に移動している。そのため、制振装置１１においては、ブラケット１６，２０間に板金製の保持部材２２を横架することによりシリンダ１４に対するピストンロッド１８の位置が全ストロークの中間位置で停止するように保持している。尚、本実施の形態においては、保持部材２２は、４本の取付ボルト２５を挿通させる取付孔（図２中、取付ボルト２５に隠れて見えない）が設けられており、４本の取付ボルト２５によってブラケット１６，２０に固定される。
【００１７】
このように、制振装置１１は、建物に設置される際、シリンダ１４に対しピストンロッド１８が中間位置に保持されているので、運搬作業が容易に行なえると共に、ピストンロッド１８が勝手に伸び動作しないため設置作業が容易に行なえる。
また、制振装置１１は、壁内に取り付けられるパネルと別体であるので、パネルに組み合わされたものに比べて小型化及び軽量化されており、例えば１人の作業者（大工）でも設置作業が行なえるように構成されている。
【００１８】
そして、保持部材２２は、後述するように施工時に各取付ボルト２５が外されると、ブラケット１６，２０から分離されてブラケット１６，２０間の拘束を解除する。これにより、油圧ダンパ１２は、ピストンロッド１８が動作可能な状態となり、減衰力を発生することができる。
尚、取付ボルト２５は、ブラケット１６，２０に溶接で固定されたナット２７に螺合するため、ナット２７を回さずに締め付けまたは緩めることができる。そのため、取付ボルト２５は、一方向から取付ボルト２５を軸回りに回動操作することができるので、保持部材２２の取り付け、取外しが容易に行なえる。
【００１９】
図３に示されるように、第１のブラケット１６は、油圧ダンパ１２の前面側で垂立し上記ナット２７が固着された保持部材取付部１６ａと、水平方向に延在形成され後述する木製パネルが載置される平面部１６ｂと、油圧ダンパ１２の背面側で垂立し木製パネルの背面側縁部に対向するパネル取付部１６ｃとを有する。
また、パネル取付部１６ｃには、木製パネルを固定するための釘または木ねじを挿通させるための小孔２８が所定間隔で設けられている。本実施の形態では、小孔２８がパネル取付部１６ｃの９箇所に設けられている。そして、平面部１６ｂの下面には、シリンダ１４の端部１４ａを支持するＵ字形状に支持部１６ｄが起立している。この支持部１６ｄは、シリンダ１４の端部１４ａを貫通するボルト３０とナット３１との螺合によりシリンダ１４の端部１４ａに連結される。
【００２０】
また、第２のブラケット２０は、上記第１のブラケット１６と上下対称な形状となる向きに配置されており、油圧ダンパ１２の前面側で垂立し上記ナット２７が固着された保持部材取付部２０ａと、水平方向に延在形成され後述する木製パネルが載置される平面部２０ｂと、油圧ダンパ１２の背面側で垂立し木製パネルの背面側縁部に対向するパネル取付部２０ｃとを有する。
【００２１】
また、パネル取付部２０ｃには、木製パネルを固定するための釘または木ねじを挿通させるための小孔３２が所定間隔で設けられている。本実施の形態では、小孔３２がパネル取付部２０ｃの９箇所に設けられている。そして、平面部２０ｂの上面には、ピストンロッド１８の端部１８ａを支持するＵ字形状に支持部２０ｄが起立している。この支持部２０ｄは、ピストンロッド１８の端部１８ａを貫通するボルト３０とナット３１との螺合によりピストンロッド１８の端部１８ａに連結される。
【００２２】
また、取付板２４，２６は、上記パネル取付部１６ｃ，２０ｃと同様に釘または木ねじを挿通させるための小孔２４ａ，２６ａと、取付ボルト２５が挿通される孔２４ｂ，２６ｂが保持部材２２の取付孔と同じ所定間隔で設けられている。
図４は制振装置１１の設置状態を示す正面図である。
図４に示されるように、制振装置１１は、１階床と２階床との間に起立された柱３９と、１階床に支持されるように横架された下梁３３と、２階床を支持するように横架された上梁３４とにより形成された長方形の壁面状空間３５内に設置される。
【００２３】
壁面状空間３５内には、上記制振装置１１の他に下梁３３に固定される木製の下部パネル３６と、上梁３４に固定される木製の上部パネル３７とが設けられており、制振装置１１は下部パネル３６と上部パネル３７との間に介在するように取り付けられる。
そして、上部パネル３７は、下側縁部が第１のブラケット１６のパネル取付部１６ｃと取付板２４とに挟持された状態で釘または木ねじにより固定される。また、下部パネル３６は、上側縁部が第２のブラケット２０のパネル取付部２０ｃと取付板２６とに挟持された状態で釘または木ねじにより固定される。
【００２４】
そのため、地震による振動が床面に伝わると、下梁３３と上梁３４との間で水平方向の相対変位が生じ、この振動が上部パネル３７、下部パネル３６を介してブラケット１６，２０に伝達される。その結果、油圧ダンパ１２は、前述したような減衰動作を行なって振動エネルギを吸収し、これにより、下梁３３と上梁３４との間の相対変位量を減少させる。よって、建物は、地震等により倒壊することが防止される。
【００２５】
ここで、上記構成とされた制振装置１１の設置手順について説明する。
図５（Ａ）乃至（Ｄ）は制振装置１１の設置手順を説明するための工程図である。また、図６は上部パネル３７と下部パネル３６との間に制振装置１１を装着した状態を示す正面図である。
図１及び図２に示されるように、制振装置１１は上記のように保持部材２２によりブラケット１６，２０間が保持された状態のまま設置現場へ輸送される。
【００２６】
そして、図５（Ａ）に示されるように、下部パネル３６の上部縁部３６ａに第２のブラケット２０の平面部２０ｂを載置すると共に、パネル取付部２０ｃを下部パネル３６の背面側にあてがう。この状態でパネル取付部２０ｃの小孔３２に釘または木ねじ等の締結部材３８を打ち込む。これで、第２のブラケット２０は下部パネル３６の背面側に固定される。
【００２７】
次に、図５（Ｂ）及び図６に示されるように、上部パネル３７の下側縁部３７ａを第１のブラケット１６の平面部１６ｂに載置すると共に、パネル取付部１６ｃを上部パネル３７の背面側にあてがう。この状態で、上部パネル３７を上梁３４に固定すると共に、パネル取付部１６ｃの小孔２８に釘または木ねじ等の締結部材４０を打ち込む。これで、第１のブラケット１６は上部パネル３７の背面側に固定される。
【００２８】
次に、図５（Ｃ）に示されるように、取付ボルト２５を弛めて保持部材２２をブラケット１６，２０の保持部材取付部１６ａ，２０ａから分離させる。これで、油圧ダンパ１２は、減衰動作可能な状態となる。
次に、図５（Ｄ）に示されるように、取付板２４，２６をブラケット１６，２０の保持部材取付部１６ａ，２０ａに取付ボルト２５の締め付けにより固定させる。これで、取付板２４，２６は、下部パネル３６、上部パネル３７に固定されたブラケット１６，２０のパネル取付部１６ｃ，２０ｃと対向する位置に起立し、パネル取付部１６ｃ，２０ｃとの間で下部パネル３６、上部パネル３７の前後面を挟持する。
【００２９】
このように保持部材２２を固定するための取付ボルト２５を用いて取付板２４，２６ブラケット１６，２０に締結するため、取付ボルト２５の使用本数を減らすことができると共に、設置後に保持部材２２を外し忘れることを防止できる。
そして、取付板２４，２６の小孔２４ａ，２６ａに釘または木ねじ等の締結部材４２，４４を打ち込む。これで、制振装置１１の設置作業が終了する。
【００３０】
このように、制振装置１１は、下部パネル３６、上部パネル３７を取り付けながらブラケット１６，２０を下部パネル３６、上部パネル３７に固定し、取付板２４，２６をブラケット１６，２０固定すると共に下部パネル３６、上部パネル３７に固定することができるので、１人の作業者（大工）でも設置作業が行なえるように構成されている。
【００３１】
図７は上記図４に示す設置構造と異なる変形例を示す正面図である。
図７に示されるように、制振装置１１のブラケット２０及び取付板２４は、下部パネル３６の上側縁部を前後方向から挟持した状態で固定される。また、制振装置１１のブラケット１６及び取付板２６は、上梁３４と柱３９とが交差する角部より下方に傾斜する木製のブレース４７，４８の下端部に連結される。尚、ブレース４７，４８の上端部は、補強金具４９，５０を介して上梁３４及び柱３９に固定される。
【００３２】
この場合、上部パネル３７を取り付けるよりも、ブレース４７，４８の方が軽量であるので、１人の作業者（大工）でも容易に設置することができる。
図８は制振装置の変形例１を示す正面図である。尚、図８において、上記実施の形態と同一部分には、同一符号を付してその説明を省略する。
図８に示されるように、制振装置５１では、上記保持部材２２の代わりに一対の保持部材５２，５４がブラケット１６，２０間に所定角度傾斜させた状態で装架されている。すなわち、保持部材５２，５４は、一端５２ａ，５４ａが取付ボルト２５の締め付けによりブラケット１６，２０の保持部材取付部１６ａ，２０ａに締結され、他端５２ｂ，５４ｂが取付ボルト２５の締め付けによりブラケット２０，１６の保持部材取付部１６ａ，２０ａに締結される。
【００３３】
これにより、油圧ダンパ１２は、ピストンロッド１８が動作しないように拘束されており、シリンダ１４に対するピストンロッド１８の位置が全ストロークの中間位置で停止するように保持されている。
また、保持部材５２，５４は、設置前の状態では上記保持部材２２として機能し、設置後は上記取付板２４，２６として機能するように設けられている。そのため、保持部材５２，５４は、取付ボルト２５が挿通される孔５２ｃ，５４ｃが３箇所に設けられ、釘または木ねじを挿通させるための小孔５２ｄ，５４ｄが所定間隔で設けられている。また、保持部材５２，５４の一端５２ａ，５４ａには、相互に干渉しないように傾斜部５２ｅ，５４ｅが形成されている。
【００３４】
図９は制振装置の変形例１の設置状態を示す正面図である。
図９に示されるように、上記のように構成された制振装置５１を下部パネル３６と上部パネル３７との間に設置する場合、まず保持部材５２，５４の他端５２ｂ，５４ｂに挿通された取付ボルト２５を外し、保持部材５２，５４の一端５２ａ，５４ａに挿通された取付ボルト２５を弛めることにより当該取付ボルト２５を軸として保持部材５２，５４を夫々時計方向（Ａ方向）に約１９０〜２００°回動させる。
【００３５】
そして、保持部材５２，５４の他端５２ｂ，５４ｂの孔５２ｃ，５４ｃに挿通させた取付ボルト２５をブラケット１６，２０の保持部材取付部１６ａ，２０ａに固着されたナット２７に螺入させて保持部材５２，５４の他端５２ｂ，５４ｂをブラケット１６，２０に締結させる。また、保持部材５２，５４の一端５２ａ，５４ａに挿通された取付ボルト２５を締め付けて一端５２ａ，５４ａをブラケット１６，２０に締結させる。
【００３６】
これで、保持部材５２，５４は、水平方向に延在するように平行に配置され、小孔５２ｄ，５４ｄが上部パネル３７、下部パネル３６に対向する。そして、保持部材５２，５４の小孔５２ｄ，５４ｄに釘または木ねじをねじ込んで保持部材５２，５４を上部パネル３７、下部パネル３６に固定させる。
このように、保持部材５２，５４は、一方の取付ボルト２５を外して回動させることにより、上記取付板２４，２６として用いることができるので、上記実施の形態のように保持部材２２を用いる場合より設置作業が容易となり、短時間で設置作業を終えることができる。また、保持部材５２，５４は、完全にブラケット１６，２０から外す必要がないので、設置作業時に紛失する心配がない。
【００３７】
図１０は制振装置の変形例２を示す正面図である。尚、図１０において、上記実施の形態と同一部分には、同一符号を付してその説明を省略する。
図１０に示されるように、制振装置６１では、保持部材５２，５４の他端５２ｂ，５４ｂの両側に円弧状の取付溝６２，６３と、半円形状の凹部６４，６５（図１０では、取付ボルト２５に隠れて見えない）が設けられている。
【００３８】
制振装置６１では、一対の保持部材５２，５４がブラケット１６，２０間に所定角度傾斜させた状態で装架されている。すなわち、保持部材５２，５４は、一端５２ａ，５４ａが取付ボルト２５の締め付けによりブラケット１６，２０のパネル取付部１６ｃ，２０ｃに締結され、他端５２ｂ，５４ｂの凹部６４，６５が取付ボルト２５の締め付けによりブラケット２０，１６のパネル取付部２０ｃ，１６ｃに締結される。
【００３９】
これにより、油圧ダンパ１２は、ピストンロッド１８が動作しないように拘束されており、シリンダ１４に対するピストンロッド１８の位置が全ストロークの中間位置で停止するように保持されている。
尚、保持部材５２，５４の他端５２ｂ，５４ｂは、半円形状の凹部６４，６５に取付ボルト２５が一方向から嵌合している状態で係止されている。そのため、取付ボルト２５による締結が弛められると、凹部６４，６５が取付ボルト２５から離間するＡ方向に回動することが可能となり、ブラケット２０，１６間の結合を解除することができる。
【００４０】
図１１は制振装置の変形例２の設置状態を示す正面図である。
図１１に示されるように、上記のように構成された制振装置６１を下部パネル３６と上部パネル３７との間に設置する場合、まず保持部材５２，５４の一端５２ａ，５４ａ及び他端５２ｂ，５４ｂを係止する取付ボルト２５を弛める。次いで、一端５２ａ，５４ａに挿通された取付ボルト２５を軸として保持部材５２，５４を夫々時計方向（Ａ方向）に回動させる。これにより、凹部６４，６５が半円形状であるので取付ボルト２５から離間して他端５２ｂ，５４ｂの拘束が解除される。
【００４１】
さらに、保持部材５２，５４が時計方向（Ａ方向）に回動すると、凹部６４，６５と反対側に設けられた円弧状の取付溝６２，６３の入口が取付ボルト２５に嵌合する。そして、取付溝６２，６３の奥部が取付ボルト２５に当接した状態で、各取付ボルト２５を締め付ける。
これで、保持部材５２，５４は、水平方向に延在するように平行に配置され、且つ小孔５２ｄ，５４ｄが上部パネル３７、下部パネル３６に対向した状態で固定される。そして、保持部材５２，５４の小孔５２ｄ，５４ｄに釘または木ねじをねじ込んで保持部材５２，５４を上部パネル３７、下部パネル３６に固定させる。
【００４２】
このように、制振装置６１では、取付ボルト２５を弛めるだけで、簡単に保持部材５２，５４をブラケット２０，１６間の結合する位置から上部パネル３７、下部パネル３６に固定される位置に回動させることができる。
従って、取付ボルト２５を外すことなく、保持部材５２，５４を回動させて上記取付板２４，２６として用いることができるので、上記変形例１の場合より設置作業が容易となり、短時間で設置作業を終えることができる。
【００４３】
尚、上記実施の形態では、本発明の制振装置が木造の一般住宅の壁内に設置される場合を一例として挙げたが、これに限らず、此れ以外の建物にも適用できるのは勿論である。
【００４５】
【発明の効果】
上述の如く、請求項１記載の発明によれば、第１のブラケットと第２のブラケットとの間には、油圧ダンパのピストンロッド端部とシリンダ端部との間を所定寸法に保持する保持部材が取外し可能に取り付けられているので、運搬途中は油圧ダンパの両端部を拘束することにより、ピストンロッドが伸び動作することが防止され、設置後に保持部材を外すことにより油圧ダンパが伸び方向と縮み方向のどちらにも動作することができる。
【００４７】
また、請求項２記載の発明によれば、保持部材と取付板とを共用する構成としたため、取付作業が簡略化されて取付作業時間を短縮できると共に、部品点数を削減することができる。
【図面の簡単な説明】
【図１】本発明になる制振装置の一実施例の正面図である。
【図２】制振装置の背面図である。
【図３】制振装置の左側面図である。
【図４】制振装置１１の設置状態を示す正面図である。
【図５】制振装置１１の設置手順を説明するための工程図である。
【図６】上部パネル３７と下部パネル３６との間に制振装置１１を装着した状態を示す正面図である。
【図７】図４に示す設置構造と異なる変形例を示す正面図である。
【図８】制振装置の変形例１を示す正面図である。
【図９】制振装置の変形例１の設置状態を示す正面図である。
【図１０】制振装置の変形例２を示す正面図である。
【図１１】制振装置の変形例２の設置状態を示す正面図である。
【符号の説明】
１１，５１，６１  制振装置
１２  油圧ダンパ
１４  シリンダ
１６  第１のブラケット
１８  ピストンロッド
２０  第２のブラケット
２２  保持部材
２５  取付ボルト
２４，２６  取付板
３３  下梁
３４  上梁
３５  壁面状空間
３６  下部パネル
３７  上部パネル
３８，４０，４２，４４  締結部材
４７，４８  ブレース
５２，５４    保持部材
【図１】
0004023948.tif 000002
【図２】
0004023948.tif 000003
【図３】
0004023948.tif 000004
【図４】
0004023948.tif 000005
【図５】
0004023948.tif 000006
【図６】
0004023948.tif 000007
【図７】
0004023948.tif 000008
【図８】
0004023948.tif 000009
【図９】
0004023948.tif 000010
【図１０】
0004023948.tif 000011
【図１１】
0004023948.tif 000012